(57)【要約】【課題】従来の緑化された日射遮蔽装置に比べて、つる植物の緑量を増大させることを可能とする。【解決手段】日射遮蔽装置１０を、つる植物１６の吸着根が吸着する被吸着部材が充填されて孔部から露出する複数のルーバー構成材２８と、複数のルーバー構成材２８を、互いに離間させ、それぞれルーバー構成材２８の板面２８Ａが建物壁面１４Ａと交差するように立設させて保持する保持部材２４と、複数のルーバー構成材２８と建物壁面１４Ａの間に、つる植物１６が植栽されるプランター２０と、で構成する。【選択図】図２
2010273659.tif 000002
【特許請求の範囲】
【請求項１】
つる植物の吸着根が吸着する被吸着部が設けられた複数の板材と、
前記複数の板材を、互いに離間させ、それぞれ前記板材の板面が建物壁面と交差するように立設させて保持する保持部材と、
前記板材とは別個に配置され、前記つる植物が植栽される植栽手段と、
を有する日射遮蔽装置。
【請求項２】
前記植栽手段は、前記複数の板材と前記建物壁面の間に配置された植栽容器である請求項１に記載の日射遮蔽装置。
【請求項３】
前記板材は、中空部と、前記板面と前記中空部を貫通する孔部と、を有し、
前記被吸着部は、前記中空部に充填され、前記板材に比べて表面が粗い被吸着部材を含む請求項１又は請求項２に記載の日射遮蔽装置。
【請求項４】
液体が貯留される貯留容器と、前記貯留容器から前記液体を前記植栽容器に供給する供給手段と、を有する潅注装置を備えた請求項２又は請求項３に記載の日射遮蔽装置。
【請求項５】
前記保持部材が取り付けられる建物壁面には、前記複数の板材よりも建物外側方向に突出したメンテナンスデッキを有する請求項１〜請求項４のいずれか１項に記載の日射遮蔽装置。
【請求項６】
前記板材の表面は、溶融亜鉛、又は前記溶融亜鉛とアルミニウムとマグネシウムでメッキされており、
前記被吸着部材の素材は、繊維材又はヤシ殻である請求項１〜請求項５のいずれか１項に記載の日射遮蔽装置。
【請求項７】
前記つる植物は、落葉性のものである請求項１〜請求項６のいずれか１項に記載の日射遮蔽装置。
【発明の詳細な説明】
【技術分野】
【０００１】
本発明は、日射遮蔽装置に関する。
【背景技術】
【０００２】
従来、建物の壁面付近には、日射による眩しさを防止するため、或いは日射熱の室内への侵入を軽減するため、ルーバー等の日射遮蔽装置を設けている。このルーバーを、植物で緑化することにより、建物全体の意匠性を向上させ、かつ、植物から蒸散する水分が建物壁面を冷却することが知られている。
【０００３】
下記特許文献１には、羽根板を横に組んで支柱に取り付け、蘇苔類植物を羽根板の上面に設置された植栽マットに生育させる緑化用植栽ルーバーが開示されている。
【０００４】
下記特許文献２には、建物の壁面に対して一定角度で傾斜するとともに、上下に所定間隔離間して配置された複数のルーバー構成材を有した外構用ルーバーが開示されている。このルーバー構成材は、横方向に長尺な本体板部と、この本体板部の両面に蘇苔類植物が植栽される多孔質状の植栽部を備えている。
【０００５】
下記特許文献３には、つる植物が植栽される植栽容器と、当該植栽容器上に設けられた網部と、当該網部の適宜部位に複数配置され、つる植物が接触して根付くスポット培地と、を備えたつる植物支持装置が開示されている。
【先行技術文献】
【特許文献】
【０００６】
【特許文献１】特開２００７−２２２０３１号公報
【特許文献２】特開２００８−２０８５３７号公報
【特許文献３】特開平９−２５２６５４号公報
【発明の概要】
【発明が解決しようとする課題】
【０００７】
しかしながら、特許文献１では、所謂横型ルーバー上に植物を植栽する構成であることから、板材の強度を考慮した設計が必要となり、コストがかかり、施工効率も低下する。
【０００８】
また、蘇苔類植物を羽根板の上面に設置された植栽マットに生育させる構成であることから、羽根板の下面には植物を植栽することができないため、ルーバー全体としてつる植物の総量（以下、緑量という）は低いものとなる。この結果、植物からの蒸散量は少なく、この蒸散機能による建物壁面の冷却効果は小さい。
【０００９】
さらに、仮に植物の植栽部分を横型ルーバーとは別個に設け、かつ、当該植栽部分につる植物を植栽する場合であっても、複数の横型ルーバー構成材が上下に所定間隔離間して配置されていると、つる植物が各ルーバー構成材を登攀し難い。
【００１０】
特許文献２でも、横型ルーバー上に植物を植栽する構成であることから、特許文献１と同様の問題点が生じる。
【００１１】
また、多孔質状の植栽部は、蘇苔類植物を植栽するものであって、つる植物の登攀用に設けられたものではない。
【００１２】
次に、特許文献３では、つる植物の吸着根が吸着する部位がスポット培地のみであるため、つる植物が安定して登攀することができない。また、スポット培地が建物壁面と対面しているため、視界の確保が困難となる。さらに、スポット培地の裏面には日光が当らず、つる植物の生育が妨げられて、当該つる植物の緑量（総量）は低いものとなる。
【００１３】
本発明は、上記事実を考慮し、従来の緑化された日射遮蔽装置に比べて、つる植物の緑量を増大させることが可能な日射遮蔽装置を提供することを目的とする。
【課題を解決するための手段】
【００１４】
請求項１の発明は、つる植物の吸着根が吸着する被吸着部が設けられた複数の板材と、前記複数の板材を、互いに離間させ、それぞれ前記板材の板面が建物壁面と交差するように立設させて保持する保持部材と、前記板材とは別個に配置され、前記つる植物が植栽される植栽手段と、を有する日射遮蔽装置である。
【００１５】
請求項１に記載の発明によれば、複数の板材が互いに離間しているので、建物内側から日射遮蔽装置を通して視界が確保され、かつ、通風も維持される。
【００１６】
また、請求項１の発明では、複数の板材を立設させている。すなわち、建物壁面の下方向から上方向にわたって連続して板材があり、植栽手段に植栽されたつる植物の吸着根が板材の被吸着部に吸着して登攀し易くなり、日射遮蔽装置へのつる植物の緑量を増大させることができる。この結果、日射遮蔽装置から発生するつる植物の蒸散量も多くなり、つる植物の蒸散機能による建物壁面の冷却効果を向上することができる。
【００１７】
さらに、板材の板面を建物壁面と交差させ、立設させる構成なので、板材の両面につる植物の吸着根が吸着して取り付き、特許文献１のように板材の上面にのみ蘇苔類植物が植栽されている構成に比べて、日射遮蔽装置へのつる植物の緑量を増大させることができる。
【００１８】
さらにまた、つる植物が植栽される植栽手段が板材とは別個に配置されているため、特許文献１及び２のように植栽部分がルーバーにある構成に比べて、植栽部分の荷重が板材にかからないため、板材の強度を考慮しなくて良く、コストの低減や施工効率の向上を図ることができる。
【００１９】
また、つる植物が吸着して登攀する板材の板面が建物壁面と交差するように立設している。従って、特許文献３のように網部が建物壁面と対面している構成と比べ、空気が日射遮蔽装置を通って建物壁面に到達するまでに、つる植物を通過する距離を長くすることができる。このように、つる植物を通過する距離が長くなれば、当該空気はつる植物から蒸散した水分とより多く接触することとなり、つる植物の蒸散によって熱を奪われ、建物壁面の冷却効果を向上することができる。
【００２０】
請求項２の発明は、前記植栽手段は、前記複数の板材と前記建物壁面の間に配置された植栽容器である請求項１に記載の日射遮蔽装置である。
【００２１】
請求項２に記載の発明によれば、植栽容器は板材によって隠れるため、建物の外観からは植栽容器が視認されない。このため、植栽容器が視認されることによって建物の意匠性が損なわれることがない。
【００２２】
請求項３の発明は、前記板材は、中空部と、前記板面と前記中空部を貫通する孔部と、を有し、前記被吸着部は、前記中空部に充填され、前記板材に比べて表面が粗い被吸着部材を含む請求項１又は請求項２に記載の日射遮蔽装置である。
【００２３】
請求項３に記載の発明によれば、前記板材に比べてより表面が粗い被吸着部材が板材の中空部に充填され、孔部から被吸着部材につる植物の吸着根が吸着するので、つる植物の日射遮蔽装置への吸着力も高めることができ、つる植物を安定的に登攀させることができる。また、板材全体の表面を粗くする場合に比べて、意匠性を損なうこともない。
【００２４】
請求項４の発明は、液体が貯留される貯留容器と、前記貯留容器から前記液体を前記植栽容器に供給する供給手段と、を有する潅注装置を備えた請求項２又は請求項３に記載の日射遮蔽装置である。
【００２５】
請求項４に記載の発明によれば、植栽容器に植栽されたつる植物に、貯留容器と供給手段とを有する潅注装置によって例えば水等の液体を供給することができるため、つる植物に当該液体を手動で供給する必要がない。
【００２６】
請求項５の発明は、前記保持部材が取り付けられる建物壁面には、前記複数の板材よりも建物外側方向に突出したメンテナンスデッキを有する請求項１〜請求項４のいずれか１項に記載の日射遮蔽装置である。
【００２７】
請求項５に記載の発明によれば、前記保持部材が取り付けられる建物壁面には、前記複数の板材よりも建物外側方向に突出したメンテナンスデッキを有するので、当該メンテナンスデッキに人間が立って、日射遮蔽装置（板材）の前面（建物外側方向の面）に登攀しているつる植物の刈り込み等の手入れや日射遮蔽装置の管理を容易かつ効率的に行うことができる。すなわち、この構成では、従来、室内側から行っていたつる植物の手入れや高所作業車やゴンドラによって行ってきた管理を、建物外側から効率的に行える仕組みである。
【００２８】
請求項６の発明は、前記板材の表面は、溶融亜鉛、又は前記溶融亜鉛とアルミニウムとマグネシウムでメッキされており、前記被吸着部材の素材は、繊維材又はヤシ殻である請求項１〜請求項５のいずれか１項に記載の日射遮蔽装置である。
【００２９】
請求項６に記載の発明によれば、本構成を有しない場合と比べて、板材や被吸着部材により多くのつる植物の吸着根が吸着し、つる植物を安定的に登攀させることができる。
【００３０】
請求項７の発明は、前記つる植物は、落葉性のものである請求項１〜請求項６のいずれか１項に記載の日射遮蔽装置である。
【００３１】
請求項７に記載の発明によれば、落葉性つる植物を板材に登攀させるため、日射遮蔽装置に移動機構や開閉機構を設けることなく、季節毎に日射調整をすることができる。具体的には、夏季は、緑陰によって日射遮蔽装置の日射遮蔽機能を向上させ、冬季は、落葉によって夏季と比べより多くの日射の取り込みが可能となる。
【発明の効果】
【００３２】
本発明によれば、従来の緑化された日射遮蔽装置に比べて、つる植物の緑量を増大させることが可能な日射遮蔽装置を提供することができた。
【図面の簡単な説明】
【００３３】
【図１】本発明の第１実施形態に係る日射遮蔽装置を示す図である。
【図２】図１に示す日射遮蔽装置の拡大図である。
【図３】（Ａ）は、図２に示す日射遮蔽装置の平面図である。（Ｂ）は、図２に示す日射遮蔽装置の立面図である。
【図４】（Ａ）は、図２に示すルーバー構成材の詳細説明図である。（Ｂ）は、図４（Ａ）に示す孔部及び被吸着部材の部分拡大図である。
【図５】本発明の第２実施形態に係る日射遮蔽装置を示す図である。（Ａ）は、日射遮蔽装置の正面立面図であって、（Ｂ）は、日射遮蔽装置の側面立面図であり、（Ｃ）は、日射遮蔽装置の平面図である。
【図６】本発明の第３実施形態に係る日射遮蔽装置を示す図である。
【図７】図４（Ｂ）に示す吸着根の変形例を示す図である。
【図８】（Ａ）及び（Ｂ）は、図２に示すルーバー構成材の変形例を示す図である。
【発明を実施するための形態】
【００３４】
以下、本発明の実施の形態の一例を図面を参照して説明する。なお、実質的に同様の機能を有するものには、全図面通して同じ符号を付して説明し、場合によってはその説明を省略することがある。
【００３５】
＜第１実施形態＞
図１は、本発明の第１実施形態に係る日射遮蔽装置を示す図である。
【００３６】
本発明の第１実施形態に係る日射遮蔽装置１０は、例えば図１に示すように建物１２の各階の外壁１４に取り付けられている。当該日射遮蔽装置１０には、つる植物１６が繁茂しており、建物１２の外壁１４が緑化されている。この結果、建物１２全体の意匠性を向上させている。
【００３７】
日射遮蔽装置１０を繁茂しているつる植物１６は、つる１６Ａと葉体１６Ｃと吸着根１６Ｂ（付着根とも言う）とを含み（図４（Ｂ）参照）、常緑性のつる植物と落葉性のつる植物に区分け可能であるが、中でも落葉性のつる植物が好ましい。  
【００３８】
落葉性のつる植物が好ましい理由としては、日射遮蔽装置１０に移動機構や開閉機構を設けることなく、季節毎の日射調整をすることができるからである。具体的には、夏季は、つる植物１６に葉体１６Ｃが茂り、この葉体１６Ｃによる緑陰によって日射遮蔽装置１０の日射遮蔽機能を向上させ、冬季は、つる植物１６から葉体１６Ｃが落葉することによって夏季と比べより多くの日射の取り込みが可能となる。
【００３９】
常緑性のつる植物としては、ヘデラ、オオイタビ、ツルマサキ、テイカカズラ、キヅタ（フユヅタ）等が挙げられる。落葉性のつる植物としては、ノウゼンカズラ、ビグノニア、ナツヅタ等が挙げられる。
【００４０】
図２は、図１に示す日射遮蔽装置１０の拡大図である。図３（Ａ）は、図２に示す日射遮蔽装置１０の平面図である。図３（Ｂ）は、図２に示す日射遮蔽装置１０の立面図である。
【００４１】
日射遮蔽装置１０は、潅水装置１８と、プランター２０と、縦型ルーバー２２と、保持部材２４と、を備えている。
【００４２】
潅水装置１８は、建物１２のデッキ２６上に配置されており、貯水タンク１８Ａと、当該貯水タンク１８Ａに連結された電磁弁１８Ｂと、当該電磁弁１８Ｂに連結され、かつ、プランター２０に連結された潅水チューブ１８Ｃとを備えている。この潅水装置１８は、電磁弁１８Ｂを利用して貯水タンク１８Ａから潅水チューブ１８Ｃを介し、プランター２０に水を自動的に供給することが可能となっている。なお、プランター２０に供給された水の余剰水は、プランター２０の下部にある不図示の水受け部を通って、デッキ２６上にある不図示の排水溝又は廃水管へと廃水される。
【００４３】
潅水装置１８から水が供給されるプランター２０は、外壁１４と縦型ルーバー２２との間のデッキ２６上に配置されており、建物１２の外観からはプランター２０が視認されないようになっている。このため、プランター２０が視認されることによって建物１２の意匠性が損なわれることがない。また、特許文献１及び２のように植栽部分がルーバーにある構成に比べて、植栽部分の荷重が縦型ルーバー２２にかからないため、縦型ルーバー２２の積載荷重の制限を緩和し、より多くのつる植物１６を縦型ルーバー２２に登攀させることができる。
【００４４】
このプランター２０には、土や肥料が投入されており、上述したつる植物１６が植栽されている。つる植物１６は、プランター２０に隣接して配置されている縦型ルーバー２２を登攀している。
【００４５】
縦型ルーバー２２は、板状の複数のルーバー構成材２８から構成される。各ルーバー構成材２８は、不図示の地面に対して垂直方向に立設しており、地面に対して水平方向に互いに離間して配置されている。この結果、建物内側から日射遮蔽装置を通して視界が確保され、かつ、通風も維持される。
【００４６】
また、各ルーバー構成材２８は、その上端部及び下端部が保持部材２４によって外壁１４に取り付けられており、ルーバー構成材２８の板面２８Ａが外壁１４の壁面１４Ａと直交するように保持されている。従って、特許文献３のように網部が建物壁面と対面している構成と比べ、空気が縦型ルーバー２２を通って外壁１４の壁面１４Ａに到達するまでに、つる植物１６を通過する距離Ｓ（図３（Ａ）参照）を長くすることができる。このように、つる植物１６を通過する距離Ｓが長くなれば、当該空気はつる植物１６から蒸散した水分とより多く接触することとなり、つる植物１６の蒸散によって熱を奪われ、壁面１４Ａの冷却効果を向上することができる。また、つる植物１６を通過して冷却された風を建物１２内に取り込むことも可能である。
【００４７】
ルーバー構成材２８を外壁１４に取り付ける保持部材２４は、例えば、止め金具２４Ａとボルト２４Ｂとナット２４Ｃとワッシャー（不図示）と取付部材２４Ｄからなり、図１に示すように、止め金具２４Ａとボルト２４Ｂとナット２４Ｃとワッシャーによって地面に対して垂直方向にある複数のルーバー構成材２８同士を連結している。このように、複数のルーバー構成材２８が垂直方向に連結されていると、つる植物１６がより高く登攀可能となる。
【００４８】
図４（Ａ）は、図２に示すルーバー構成材２８の詳細説明図である。
【００４９】
ルーバー構成材２８の大きさは、建物１２の大きさ等によって適宜変更可能であり、特に限定されないが、例えば高さＬは４００ｃｍ、縦幅Ｍは５ｃｍ、横幅Ｎは２０ｃｍである。
【００５０】
このルーバー構成材２８は、中空部２８Ｂと、板面２８Ａと中空部２８Ｂを貫通する複数の孔部２８Ｃとを有している。この孔部２８Ｃは、図４（Ａ）では、水平方向に隙間をあけて５つルーバー構成材２８に設けられており、これら５つの孔部２８Ｃが垂直方向に隙間をあけて複数行にわたってルーバー構成材２８に設けられている。
【００５１】
また、ルーバー構成材２８の中空部２８Ｂには、ルーバー構成材２８に比べて表面が粗い被吸着部材３０が充填されている。
【００５２】
ルーバー構成材２８の素材としては、特に限定はされないが、つる植物１６の吸着根１６Ｂが吸着し易いように表面が粗いものが好ましい。例えば合成樹脂、白アルミ、黒アルミ、ＺＡＭ鋼板、耐候性鋼板、鋼板や銅板等の金属板に溶融亜鉛でメッキしたもの等が挙げられる。なお、ＺＡＭ鋼板は、亜鉛―アルミニウム（6％）＋マグネシウム（3％）系の溶融メッキ鋼板であり、「ＺＡＭ」は日新製鋼株式会社の登録商標である。
【００５３】
一方、被吸着部材３０の素材としては、ルーバー構成材２８に比べて表面が粗いものであれば如何なるものであっても良いが、例えば繊維状のもの或いは多孔質のもので、不織布、陶器タイル、ヤシ殻、火山岩等が挙げられる。
【００５４】
図４（Ｂ）は、図４（Ａ）に示す孔部２８Ｃ及び被吸着部材３０の部分拡大図である。
【００５５】
つる植物１６は、その吸着根１６Ｂをルーバー構成材２８に吸着させながらプランター２０からルーバー構成材２８を登攀していく。ここで、ルーバー構成材２８の孔部２８Ｃからは、ルーバー構成材２８に比べて表面が粗い被吸着部材３０が露出しているため、被吸着部材３０につる植物１６の吸着根１６Ｂが吸着し易く、つる植物１６の縦型ルーバー２２への吸着力も高めることができ、つる植物１６を安定的に登攀させることができる。また、つる植物１６の緑量を増大させることもできる。さらに、ルーバー構成材２８全体の表面を粗くする場合に比べて、意匠性を損なうこともない。
【００５６】
＜第２実施形態＞
次に、本発明の第２実施形態に係る日射遮蔽装置１０Ａについて説明する。図５は、本発明の第２実施形態に係る日射遮蔽装置１０Ａを示す図である。図５（Ａ）は、日射遮蔽装置１０Ａの正面立面図であって、図５（Ｂ）は、日射遮蔽装置１０Ａの側面立面図であり、図５（Ｃ）は、日射遮蔽装置１０Ａの平面図である。
【００５７】
第２実施形態に係る日射遮蔽装置１０Ａは、例えばデッキ２６等を含む保持部材が取り付けられる建物壁面１４Ａにメンテナンスデッキ２６Ａを有する点で第１実施形態の日射遮蔽装置１０と異なる。なお、他の構成については、第１実施形態と同様である。
【００５８】
図５に示すように、メンテナンスデッキ２６Ａが、デッキ２６に連結されており、前記複数の板材よりも建物１２外側方向に突出している。
【００５９】
このため、当該メンテナンスデッキ２６Ａに人間が立って、縦型ルーバー２２の前面（建物１２外側方向の面）に登攀しているつる植物１６の刈り込み等の手入れや日射遮蔽装置１０Ａの管理を容易かつ効率的に行うことができる。すなわち、この構成では、従来、建物１２室内側から手入れや高所作業車やゴンドラによって行ってきた管理を、建物１２外側から効率的に行える仕組みである。
【００６０】
また、メンテナンスデッキ２６Ａは、縦型ルーバー２２の両端側にそれぞれ設けられている。
【００６１】
このため、縦型ルーバー２２の両端側から縦型ルーバー２２の前面にある植物１６の手入れや縦型ルーバー２２の管理が行えるため、作業効率を向上させることができる。
【００６２】
＜第３実施形態＞
次に、本発明の第３実施形態に係る日射遮蔽装置１０Ｂについて説明する。図６は、本発明の第３実施形態に係る日射遮蔽装置１０Ｂを示す図である。
【００６３】
第３実施形態に係る日射遮蔽装置１０Ｂは、潅水装置１８やプランター２０を有しない点で第１実施形態の日射遮蔽装置１０と異なる。なお、他の構成については、第１実施形態と同様である。
【００６４】
日射遮蔽装置１０Ｂでは、縦型ルーバー２２を地面３１に立設させて、例えば地面３１から建物１２の３階や４階まで延出させた構成となっている。
【００６５】
第３実施形態では、つる植物１６は地面３１に植栽されており、地面３１から直接縦型ルーバー２２を登攀する。特に、ナツヅタは、１０ｍ以上の高さまで生育することが可能であるため、地面３１から建物３階程度の高さまで十分に縦型ルーバー２２へ登攀させることができる。
【００６６】
＜変形例＞
なお、本発明は、上記の実施形態に限るものではなく、本発明の要旨を逸脱しない限りにおいて、種々の変形、変更、改良が成される。
【００６７】
例えば、各ルーバー構成材２８は、図２に示すように、ルーバー構成材２８の板面２８Ａが外壁１４の壁面１４Ａと直交するように保持されているが、少なくとも壁面１４Ａと交差するように保持されていれば良い。すなわち、壁面１４Ａに対して斜めに立設するようなルーバー構成材２８であっても良い。
【００６８】
また、保持部材２４は、図２に示すように、ルーバー構成材２８毎に設ける構成を説明したが、縦型ルーバー２２中の一部のルーバー構成材２８にのみ設けるような構成であっても良い。この場合、縦型ルーバー２２に、ルーバー構成材２８同士を連結する水平方向に延びた連結部材を設けるようにしても良い。
【００６９】
さらに、保持部材２４は、図３（Ｂ）に示すように、止め金具２４Ａを取付部材２４Ｄに取り付ける構成を説明したが、取付部材２４Ｄを用いず、止め金具２４Ａをデッキ２６に直接取り付ける構成であっても良い。
【００７０】
さらに、孔部２８Ｃは、図４（Ａ）に示すように、水平方向に隙間をあけて５つルーバー構成材２８に設けられ、これら５つの孔部２８Ｃが垂直方向に隙間をあけて複数行にわたってルーバー構成材２８に設けられた場合を説明したが、孔部２８Ｃの個数は特に限定されるものではなく、例えば水平方向に１個、２個、３個・・・９９個、１００個ある場合であっても良い。
【００７１】
さらにまた、孔部２８Ｃの設け方としては、孔部２８Ｃの孔数が同じ配列を垂直方向に複数行設けた構成を説明したが、これに限定されず、例えば、孔部２８Ｃが千鳥格子状やランダムに並べることも可能である。
【００７２】
また、孔部２８Ｃは、図４（Ａ）に示すように、ルーバー構成材２８の板面２８Ａに設けられる構成を説明したが、他の面に設けられる構成であっても良い。このような構成の一例として、図８（Ａ）に、板面３２Ａと側面３２Ｄに共に孔部３２Ｃが設けられ、中空部３２Ｂに被吸着部材３０が充填されたルーバー構成材３２の外観図を示す。
【００７３】
さらに、ルーバー構成材２８に中空部２８Ｂを設けて、中にルーバー構成材２８に比べて表面が粗い被吸着部材３０を充填する構成を説明したが、ルーバー構成材２８自体が、被吸着部材３０と同等の表面粗さを有している構成であっても良い。この場合、中空部２８Ｂに被吸着部材３０を充填する必要もなく、また孔部２８Ｃを設ける必要もない。このような構成の一例として、図８（Ｂ）に、板面３４Ａが網状に形成されたルーバー構成材３４の外観図を示す。
【００７４】
さらにまた、プランター２０へ供給する液体は、水である場合を説明したが、つる植物１６が育成する液体であれば、如何なる液体であっても良い。
【００７５】
また、図４（Ｂ）に示した吸着根１６Ｂは、特にナツヅタの吸着根を示しているが、その他のつる植物１６、例えばヘデラのようなつる植物１６の吸着根１６Ｂは、図７に示すように、より根の形に近い吸着根となる。
【実施例】
【００７６】
以下、本発明に係る実施例について説明する。
【００７７】
本発明の実施例に係る日射遮蔽装置を、ルーバー構成材と被吸着部材の素材やルーバー構成材の孔数を種々変更して複数例作製した。表１に、実施例毎の日射遮蔽装置の変更事項を示す。なお、表１に示す実施例１〜１４に係る日射遮蔽装置のその他の構成は、[発明を実施するための形態]の欄で説明した構成と同一である。なお、表１中の孔数とは、ルーバー構成材全体の孔数ではなく、ルーバー構成材を立設させた場合の水平方向に並んで配置されている孔数である。また、表１中の「フレクスター」は繊維材の一種であり、株式会社クラレの登録商標である。
【表１】
2010273659.tif 000003
【００７８】
次に、作製した実施例１〜１４に係る日射遮蔽装置において、各日射遮蔽装置のプランターにナツヅタを植栽し、当該ナツヅタの観察記録を作成した。表２に、各日射遮蔽装置におけるナツヅタの観察記録を示す。
【表２】
2010273659.tif 000004
2010273659.tif 000005
2010273659.tif 000006
2010273659.tif 000007
2010273659.tif 000008
【００７９】
以上、表２に示す観察記録から、実施例９の日射遮蔽装置（ルーバー構成材：ＺＡＭ鋼板、被吸着部材：フレクスタ−、孔数：５の組み合わせ）、実施例１０の日射遮蔽装置（ルーバー構成材：ＺＡＭ鋼板、被吸着部材：ヤシ殻、孔数：２の組み合わせ）、実施例１２の日射遮蔽装置（ルーバー構成材：溶融亜鉛メッキ、被吸着部材：ヤシ殻、孔数：５の組み合わせ）が、つるの長さが長く被吸着部材への吸着数等が多いことを確認した。この結果、実施例９、１０、１２の日射遮蔽装置が特にナツヅタの生育に有効であることを確認した。すなわち、ルーバー構成材や被吸着部材により多くのつる植物の吸着根が吸着し、つる植物を安定的に登攀させ、縦型ルーバーに対するつる植物の緑量を増大させることができた。
【００８０】
なお、表１及び表２には掲載していないが、日射遮蔽装置の構成として、ルーバー構成材：溶融亜鉛メッキ、被吸着部材：フレクスタ−、孔数：５の組み合わせも、実施例９、１０等と同様に有効であると考えられる。
【符号の説明】
【００８１】
１０、１０Ａ、１０Ｂ  日射遮蔽装置
１２    建物
１４Ａ  壁面
１６Ｂ  吸着根
１６    植物
１８    潅水装置（潅流装置）
１８Ａ  貯水タンク（貯留容器）
１８Ｂ  電磁弁（供給手段）
１８Ｃ  潅水チューブ（供給手段）
２０    プランター（植栽容器、植栽手段）
２４    保持部材
２６Ａ  メンテナンスデッキ
２８、３２、３４  ルーバー構成材（板材）
２８Ｃ  孔部
２８Ｂ  中空部
２８Ａ  板面
３０    被吸着部材
３１    地面（植栽手段）
【図１】
2010273659.tif 000009
【図２】
2010273659.tif 000010
【図３】
2010273659.tif 000011
【図４】
2010273659.tif 000012
【図５】
2010273659.tif 000013
【図６】
2010273659.tif 000014
【図７】
2010273659.tif 000015
【図８】
2010273659.tif 000016